(57)【要約】【課題】調理容器の温度を検出する温度検出手段が、五徳上で調理容器を移動させる場合に邪魔にならず、使い勝手のよいガスコンロを提供する。【解決手段】温度検出装置９が、固定側支持部材１１と、固定側支持部材に支持され、上下動可能に構成された移動側支持筒１２と、移動側支持筒の上端に配設され、調理容器４０の上下動に追随して上下動し、調理容器の底面に常時当接するように構成された当接体１３と、当接体の下面側に当接体と熱的に結合するように配設されたサーミスタ１４とを具備し、移動側支持筒が下降して当接体の上面が五徳の上端より下方に位置する温度検出装置の下降状態と、移動側支持筒が上昇して当接体の上面が五徳の上端より上方に位置する温度検出装置の上昇状態とに切り換える切換手段１５を備え、温度検出装置の上昇状態において調理容器が五徳上に載置されたときに、移動側支持筒の下降を許容する構成とする。【選択図】図４
2017009126.tif 000002
【特許請求の範囲】
【請求項１】
調理容器を加熱するガスバーナと、前記調理容器が載置される五徳と、前記調理容器の温度を検出する温度検出装置と、前記ガスバーナの火力を制御する制御手段とを備えるガスコンロであって、
前記温度検出装置が、前記ガスコンロの任意の固定部に固定されて縦方向に伸びる固定側支持部材と、前記固定側支持部材に支持され、前記固定側支持部材に対して上下動可能に構成された移動側支持筒と、前記移動側支持筒の上端に配設され、前記調理容器の上下動に追随して上下動することにより、前記調理容器の底面に常時当接するように構成された当接体と、前記当接体の下面側に、前記当接体と熱的に結合するような態様で配設されたサーミスタとを具備し、
前記移動側支持筒が下降して前記当接体の上面が前記五徳の上端より下方に位置する前記温度検出装置の下降状態と、前記移動側支持筒が上昇して前記当接体の上面が前記五徳の上端より上方に位置する前記温度検出装置の上昇状態とに切り換える切換手段を備え、
前記温度検出装置の上昇状態において前記調理容器が前記五徳上に載置されたときに、前記移動側支持筒の下降が許容されるように構成されていること
を特徴とするガスコンロ。
【請求項２】
前記切換手段が、前記固定側支持部材に支持された前記移動側支持筒を前記固定側支持部材に対して上方向に付勢する付勢手段と、前記移動側支持筒に一端側が止着されたワイヤーと、前記ワイヤーを他端側から巻き取り、または、巻き取った前記ワイヤーを繰り出す、巻き取り・繰り出し部を備えるとともに、
前記巻き取り・繰り出し部によって前記ワイヤーを巻き取ることにより、前記ワイヤーの前記一端に作用する張力が、前記付勢手段による付勢力を上回って、前記温度検出装置が下降した下降状態となり、
前記巻き取り・繰り出し部によって巻き取った前記ワイヤーを繰り出すことにより、前記ワイヤーの前記一端に作用する張力が、前記付勢手段による付勢力を下回って、前記温度検出装置が上昇した上昇状態となり、
前記温度検出装置の上昇状態において、前記調理容器が前記五徳上に載置された場合に、前記温度検出装置と前記巻き取り・繰り出し部の間に位置する前記ワイヤーの長さが、前記調理容器が前記五徳上に載置された状態でたるみがない平衡状態に保たれた場合の前記ワイヤーの長さよりも長くなることを許容するように構成されていること
を特徴とする請求項１記載のガスコンロ。
【請求項３】
前記平衡状態に保たれた場合の前記ワイヤーの長さより、前記ワイヤーの長さが長くなった場合に、前記温度検出装置と前記巻き取り・繰り出し部の間に位置する前記ワイヤーに、前記一端に付加される張力が前記付勢手段による付勢力より小さくなるような態様で張力を付与する張力付与手段を備えていることを特徴とする請求項２記載のガスコンロ。
【請求項４】
前記制御手段が、前記ガスバーナによる加熱を停止する場合には、前記温度検出装置が前記下降状態となるように前記巻き取り・繰り出し部を制御し、
前記ガスバーナによる加熱を行う場合において、前記調理容器が前記五徳上に載置されていない場合には、前記温度検出装置が前記上昇状態となり、前記調理容器が前記五徳上に載置されている場合には、前記温度検出装置の当接部が、前記調理容器の底面に当接するように、前記巻き取り・繰り出し部を制御することを特徴とする請求項１〜３のいずれかに記載のガスコンロ。
【発明の詳細な説明】
【技術分野】
【０００１】
本発明は、ガスコンロに関し、詳しくは、鍋や釜などの調理容器の温度を検出する温度検出装置を備えたガスコンロに関する。
【背景技術】
【０００２】
ガスコンロには、鍋や釜などの調理容器の温度を検出する温度検出装置と、検出された調理容器の温度により、ガスバーナの火力を制御する制御手段を備えたガスコンロがある。
【０００３】
そのようなガスコンロとして、特許文献１には、調理器の温度を検出する温度検出手段（温度検出装置）と、火力調節を行う制御手段とを備えた加熱調理器（ガスコンロ）であって、加熱手段であるコンロバーナによって加熱される調理容器の下面に、温度検出手段の当接体（集熱板）が当接して、調理容器の下面の温度を検出し、その検出温度に応じて、制御手段がコンロバーナの火力調節を行うようにした加熱調理器（ガスコンロ）が提案されている。
【先行技術文献】
【特許文献】
【０００４】
【特許文献１】特開２０１３−１６４２５７号公報
【発明の概要】
【発明が解決しようとする課題】
【０００５】
しかしながら、上述の特許文献１の加熱調理器（ガスコンロ）の場合、温度検出手段（温度検出装置）の当接体（集熱板）は、調理容器が載置されない状態において、調理容器を載置する五徳の上端よりも上方に突出した状態となる。
【０００６】
その場合、一つのコンロバーナの五徳上から、他のコンロバーナの五徳上に調理容器を移動させたり、一旦五徳上から調理容器を退避させて、再び当該五徳上に調理容器を戻したりする場合に、五徳の上端よりも上方に突出した温度検出手段が、調理容器の移動の邪魔になる場合があり、使い勝手が悪いという問題点がある。
【０００７】
本発明は、上記課題を解決するものであり、調理容器の温度を検出するための温度検出手段（温度検出装置）が、五徳上において調理容器を移動させる場合に邪魔になるようなことがなく、使い勝手のよいガスコンロを提供することを目的とする。
【課題を解決するための手段】
【０００８】
上記の目的を達成するために、本発明のガスコンロは、
調理容器を加熱するガスバーナと、前記調理容器が載置される五徳と、前記調理容器の温度を検出する温度検出装置と、前記ガスバーナの火力を制御する制御手段とを備えるガスコンロであって、
前記温度検出装置が、前記ガスコンロの任意の固定部に固定されて縦方向に伸びる固定側支持部材と、前記固定側支持部材に支持され、前記固定側支持部材に対して上下動可能に構成された移動側支持筒と、前記移動側支持筒の上端に配設され、前記調理容器の上下動に追随して上下動することにより、前記調理容器の底面に常時当接するように構成された当接体と、前記当接体の下面側に、前記当接体と熱的に結合するような態様で配設されたサーミスタとを具備し、
前記移動側支持筒が下降して前記当接体の上面が前記五徳の上端より下方に位置する前記温度検出装置の下降状態と、前記移動側支持筒が上昇して前記当接体の上面が前記五徳の上端より上方に位置する前記温度検出装置の上昇状態とに切り換える切換手段を備え、
前記温度検出装置の上昇状態において前記調理容器が前記五徳上に載置されたときに、前記移動側支持筒の下降が許容されるように構成されていること
を特徴としている。
【０００９】
また、本発明のガスコンロにおいては、
前記切換手段が、前記固定側支持部材に支持された前記移動側支持筒を前記固定側支持部材に対して上方向に付勢する付勢手段と、前記移動側支持筒に一端側が止着されたワイヤーと、前記ワイヤーを他端側から巻き取り、または、巻き取った前記ワイヤーを繰り出す、巻き取り・繰り出し部を備えるとともに、
前記巻き取り・繰り出し部によって前記ワイヤーを巻き取ることにより、前記ワイヤーの前記一端に作用する張力が、前記付勢手段による付勢力を上回って、前記温度検出装置が下降した下降状態となり、
前記巻き取り・繰り出し部によって巻き取った前記ワイヤーを繰り出すことにより、前記ワイヤーの前記一端に作用する張力が、前記付勢手段による付勢力を下回って、前記温度検出装置が上昇した上昇状態となり、
前記温度検出装置の上昇状態において、前記調理容器が前記五徳上に載置された場合に、前記温度検出装置と前記巻き取り・繰り出し部の間に位置する前記ワイヤーの長さが、前記調理容器が前記五徳上に載置された状態でたるみがない平衡状態に保たれた場合の前記ワイヤーの長さよりも長くなることを許容するように構成されていること
が好ましい。
【００１０】
また、前記平衡状態に保たれた場合の前記ワイヤーの長さより、前記ワイヤーの長さが長くなった場合に、前記温度検出装置と前記巻き取り・繰り出し部の間に位置する前記ワイヤーに、前記一端に付加される張力が前記付勢手段による付勢力より小さくなるような態様で張力を付与する張力付与手段を備えていることが好ましい。
【００１１】
また、本発明のガスコンロにおいては、
前記制御手段が、前記ガスバーナによる加熱を停止する場合には、前記温度検出装置が前記下降状態となるように前記巻き取り・繰り出し部を制御し、
前記ガスバーナによる加熱を行う場合において、前記調理容器が前記五徳上に載置されていない場合には、前記温度検出装置が前記上昇状態となり、前記調理容器が前記五徳上に載置されている場合には、前記温度検出装置の当接部が、前記調理容器の底面に当接するように、前記巻き取り・繰り出し部を制御すること  が好ましい。
【発明の効果】
【００１２】
本発明は、上述のように、温度検出装置と、ガスコンロに固定されて縦方向に伸びる固定側支持部材と、固定側支持部材に支持され、上下動可能に構成された移動側支持筒と、移動側支持筒の上端に配設され、上下動することにより、調理容器の底面に常時当接するように構成された当接体と、当接体の下面側に配設されたサーミスタとを備えたガスコンロにおいて、移動側支持筒が下降して当接体の上面が五徳の上端より下方に位置する温度検出装置の下降状態と、移動側支持筒が上昇して当接体の上面が五徳の上端より上方に位置する温度検出装置の上昇状態とに切り換える切換手段を備え、温度検出装置の上昇状態において調理容器が五徳上に載置されたときに、移動側支持筒の下降が許容されるように構成されているので、温度検出装置の下降状態では、五徳上において調理容器を移動させるときに、温度検出装置が邪魔になることがない。
【００１３】
しかも、温度検出装置の上昇状態においては、調理容器が五徳上に載置されたときに移動側支持筒の下降が許容されるように構成されているので、五徳上に調理容器が載置されたときに、温度検出装置の当接体が調理容器の上下動に追随して上下し、当接体と調理容器の底面の接触状態が維持されるため、調理容器の温度を適切に検出することができる。
【００１４】
したがって、本発明によれば、調理容器の温度を確実に検出することが可能で、かつ、五徳上において調理容器を移動させる場合に、温度検出装置が邪魔になることがなく、使い勝手のよいガスコンロを提供することが可能になる。
【００１５】
また、本発明のガスコンロにおいては、固定側支持部材に支持された移動側支持筒を上方向に付勢する付勢手段と、移動側支持筒に一端が止着されたワイヤーと、ワイヤーの他端側の巻き取りと、巻き取ったワイヤーの繰り出しを行う、巻き取り・繰り出し部とを備えるとともに、巻き取り・繰り出し部によって、ワイヤーを巻き取ることにより、上記一端に作用する張力が付勢手段による付勢力を上回って、温度検出装置が下降した下降状態となり、巻き取り・繰り出し部によってワイヤーを繰り出すことにより、ワイヤーの一端に作用する張力が付勢手段による付勢力を下回って、温度検出装置が上昇した上昇状態となり、かつ、温度検出装置の上昇状態において、調理容器が五徳上に載置された場合に、温度検出装置と巻き取り・繰り出し部の間に位置するワイヤーの長さが、調理容器が五徳上に載置された状態でたるみがない平衡状態に保たれた場合のワイヤーの長さよりも長くなることを許容するように構成されている場合、ワイヤーを剛性の小さな線材によって構成し、巻き取り・繰り出し部と移動側支持筒とをワイヤー（剛性の小さな線材）によって接続するだけで、上述のような本発明にかかるガスコンロを複雑な構成を必要とすることなく構成することが可能になる。
【００１６】
また、上記平衡状態に保たれた場合の記ワイヤーの長さより、ワイヤーの長さが長くなった場合に、温度検出装置と巻き取り・繰り出し部の間に位置するワイヤーに、一端に付加される張力が付勢手段による付勢力より小さくなるような態様で張力を付与する張力付与手段を備えた構成とした場合、温度検出装置の上昇状態において、調理容器が五徳上に載置されたときに、温度検出装置と巻き取り・繰り出し部の間に位置するワイヤーのたるみが抑制され、温度検出装置の上下方向の動作の信頼性を向上させることが可能になる。
【００１７】
また、制御手段が、ガスバーナによる加熱を停止する場合には、温度検出装置が下降状態となるように巻き取り・繰り出し部を制御し、ガスバーナによる加熱を行う場合において、調理容器が五徳上に載置されていない場合には、温度検出装置が上昇状態となり、調理容器が五徳上に載置されている場合には、温度検出装置の当接部が、調理容器の底面に当接するように、巻き取り・繰り出し部を制御するように構成した場合、ガスバーナによる加熱が停止したときに温度検出装置が下降するため、温度検出装置が調理容器の移動などの邪魔になることがなく、また、ガスバーナによる加熱を行うときには、調理容器の底面に当接した温度検出装置によって調理容器の温度が適切に検出することが可能になり、本発明をさらに実効あらしめることができる。
【図面の簡単な説明】
【００１８】
【図１】本発明の一実施形態にかかるガスコンロの外観構成を示す斜視図である。
【図２】本発明の一実施形態にかかるガスコンロの、温度検出装置の下降状態における要部構成を示す側面図である。
【図３】本発明の一実施形態にかかるガスコンロの、温度検出装置の上昇状態における要部構成を示す側面図である。
【図４】本発明の一実施形態にかかるガスコンロの、温度検出装置上に調理容器を載置した状態における要部構成を示す側面図である。
【図５】本発明の一実施形態にかかるガスコンロの、温度検出装置昇降制御サブルーチンのフローチャートを示す図である。
【発明を実施するための形態】
【００１９】
［実施形態］
以下、本発明の実施形態を示して、その特徴とするところをさらに詳しく説明する。
【００２０】
＜加熱調理器の基本構造＞
図１は本発明の実施形態にかかるグリル付きガスコンロ（ドロップインコンロ）の外観構成を示す図である。
【００２１】
このグリル付きガスコンロＡ（以下、単にガスコンロともいう）は、図１に示すように、標準バーナ１ａ、高火力バーナ１ｂ、および小バーナ１ｃの３つのコンロバーナ（加熱部）を備えており、トッププレートの上部に、標準バーナ１ａ、高火力バーナ１ｂ、および小バーナ１ｃに対する鍋などの被加熱物（調理物）を受け止め、支持するための五徳５１が載置されている。
【００２２】
そして、標準バーナ１ａには、被加熱物（例えば、調理容器である鍋の底）に接触してその温度を検出するためのサーミスタからなる温度検出装置（温度センサ）９が，標準バーナ１ａの中央を貫通するように配設されている。なお、この温度検出装置９を備えた標準バーナ１ａにより、炊飯、湯沸かし、揚げものなどの温調調理を行うことができる。
【００２３】
また、グリル部４は、前面部が開口した箱状に形成されたグリル庫内に、魚などの被調理物を載置するための載置部として機能する焼き網を設けて構成されている。また、グリル庫内には、加熱部として、１つの上側バーナ（図示せず）と２つの下側バーナ（図示せず）が配設されている。
【００２４】
さらに、ガスコンロＡの前面（前側面）には、上述のコンロバーナとグリルバーナの点火および消火、火力調節と各種の設定とを指令する手動操作部３４が設けられている。
【００２５】
また、このガスコンロＡは、各種の制御を実行するように構成された制御部（制御手段）（図示せず）を備えている。制御部（制御手段）は、手動操作部３４にて指令された指令情報に基づいて、コンロバーナおよびグリルバーナの燃焼状態などを制御するように構成されている。
また、ガスコンロＡの前面には、自動復帰型の押し操作式の電源スイッチ２４、電源ランプ２５が設けられている。
【００２６】
上記手動操作部３４は、コンロバーナ（標準バーナ１ａ、高火力バーナ１ｂ、小バーナ１ｃ）の夫々に対して各別に点火・消火や火力調節を指令するための３つの加熱状態調節部２１（２１ａ，２１ｂ，２１ｃ）、標準バーナ１ａの温調機能（湯沸かし、揚げ物、炊飯）とタイマ機能についての操作および表示を行う標準バーナ用の付加機能操作・表示部３２、グリルバーナ（特に図示しない上側バーナと下側バーナ）の火力調節などを行うグリルバーナ操作部２２、グリルバーナの作動状態の切り換えを指令するグリル用の付加機能操作・表示部３３などを備えている。
【００２７】
＜特徴的構成＞
以下に、本発明の実施形態にかかるガスコンロＡの特徴的な構成について説明する。
【００２８】
本発明の一実施形態にかかるガスコンロＡにおいて用いられている温度検出装置９は、図２〜４に示すように、ガスコンロＡ内に備える固定部（不図示）に固定されて縦方向に伸びる固定側支持部材（固定部材）１１と、固定側支持部材（固定部材）１１に対して上下動可能に支持された移動側支持筒（可動筒）１２と、移動側支持筒１２の上端に配設され、調理容器４０の上下動に追随して上下動することにより、調理容器４０の底面に常時当接するように構成された当接体１３と、この当接体１３の下面側に、当接体１３と熱的に結合するような態様で配設されたサーミスタ１４を備えている。
【００２９】
また、移動側支持筒１２が下降して当接体１３の上面が五徳５１の上端より下方に位置する温度検出装置９の下降状態（図２）と、移動側支持筒１２が上昇して当接体１２の上面が五徳５１の上端より上方に位置する温度検出装置９の上昇状態（図３）とに切り換える切換手段１５を備えている。
【００３０】
この実施形態のガスコンロＡにおいて、切換手段１５は、ステッピングモータ１６と、ステッピングモータ１６により駆動（回転）されるボビン１７と、ワイヤー１９とを備えている（図２、図３、図４）。
【００３１】
そして、上記ステッピングモータ１６と、ステッピングモータ１６により駆動（回転）されるボビン１７とが、ワイヤー１９の巻き取りと、巻き取ったワイヤー１９を繰り出す、巻き取り・繰り出し部２０を構成している。
【００３２】
ワイヤー１９は、移動側支持筒１２に、その一端１９ａが止着され、他端１９ｂがボビン１７に止着されている。また、この実施形態では、ワイヤー１９として、剛性の小さい合成樹脂製の糸が用いられている。
【００３３】
なお、固定側支持部材（固定部材）１１と、移動側支持筒（可動筒）１２の内部には、サーミスタ用リード線４５と、ワイヤー１９とが配設されている。ただし、図２〜４において、固定側支持部材（固定部材）１１と、移動側支持筒（可動筒）１２の内部の構成は、簡略化して示している。
【００３４】
上述のように、この実施形態のガスコンロＡにおいては、切換手段１５として、ステッピングモータ１６とボビン１７を備えた巻き取り・繰り出し部２０により、ワイヤー１９を巻き取り、あるいは繰り出すことができるように構成された機構が用いられている。
【００３５】
そして、巻き取り・繰り出し部２０を構成するボビン１７をステッピングモータ１６により回転させ、ワイヤー１９を巻き取り、あるいは、巻き取ったワイヤー１９を繰り出すことにより、温度検出装置９を下降状態（図２）、あるいは、上昇状態（図３）とすることができるように構成されている。
【００３６】
また、この実施形態のガスコンロＡにおいては、図２〜４に示すように、移動側支持筒１２の内部に、移動側支持筒１２を固定側支持部材１１に対して上方向に付勢する付勢手段として、コイルスプリング１８が配設されている。
【００３７】
すなわち、このガスコンロＡにおいては、
（ａ）ステッピングモータ１６によりボビン１７を所定の方向に回転させてワイヤー１９を巻き取ったときに、ワイヤー１９の一端１９ａに作用する張力が付勢手段（コイルスプリング）１８による付勢力を上回り温度検出装置９が下降状態（図２）となり、
（ｂ）ステッピングモータ１６によりボビン１７を逆の方向に回転させてワイヤー１９を繰り出したときに、ワイヤー１９の一端１９ａに作用する張力が付勢手段（コイルスプリング）１８による付勢力を下回り、温度検出装置９が上昇状態（図３）となるように構成されている。
【００３８】
また、この実施形態のガスコンロＡにおいては、温度検出装置９の上昇状態（図３）において、調理容器４０が五徳５１上に載置されたときに、温度検出装置９から、ボビン１７に至るまでのワイヤーの長さが、温度検出装置９とボビン１７との距離より長くなることを許容するように構成されている（図４）。つまり、温度検出装置９の上昇状態（図３）において、調理容器４０が五徳５１上に載置された場合に（図４）、温度検出装置９とボビン１７との間に位置するワイヤー１９の長さが、調理容器４０が五徳５１上に載置された状態でたるみがない状態（平衡状態）に保たれた場合のワイヤーの長さよりも長くなることを許容するように構成されている（図４）。
【００３９】
そして、その一方で、五徳５１上に調理容器４０が載置され、移動側支持筒（可動筒）１２が下降して、温度検出装置９とボビン１７との間に位置するワイヤー１９の長さが、温度検出装置９とボビン１７の間の距離（最短経路）より長くなったときに、温度検出装置９とボビン１７との間に位置するワイヤー１９に、たるみが生じないようにするために必要な張力を付与する張力付与手段４１を備えている（図４）。
【００４０】
すなわち、この実施形態では、ワイヤー１９の一端１９ａに付加される張力が付勢手段（コイルスプリング）１８による付勢力より小さくなるような態様で、ワイヤー１９に張力を与えて、ワイヤー１９にたるみが生じることを防止できるように構成されている。
【００４１】
なお、張力付与手段４１によってワイヤー１９に付与される張力は小さく、温度検出装置９とボビン１７との間に位置するワイヤー１９の長さが温度検出装置９とボビン１７との距離より長くない場合は、温度検出装置９とボビン１７との間に位置するワイヤー１９を変位させないように構成されており、張力付与手段４１によってワイヤー１９に与えられる張力では、移動側支持筒１２が下降しないように構成されている（図３）。
【００４２】
また、この実施形態のガスコンロＡでは、制御手段が、ガスバーナによる加熱を停止するときに温度検出装置９が下降した下降状態となるように巻き取り・繰り出し部２０を構成するステッピングモータ１６を制御し、ガスバーナによる加熱を行うときにおいて、調理容器４０が五徳５１上に載置されていない場合には、温度検出装置９が上昇状態となるように巻き取り・繰り出し部２０を構成するステッピングモータ１６を制御し、調理容器４０が五徳５１上に載置されている場合には、コイルスプリング１８の付勢力により、温度検出装置９の当接部１３が、調理容器４０の底面に適度な押圧力で当接するようにステッピングモータ１６を制御する（巻き取り・繰り出し部２０を制御する）ように構成されている。
【００４３】
上述のように構成されたこの実施形態のガスコンロＡにおいては、温度検出装置９が下降状態にあるとき、五徳５１上で調理容器４０を移動させる際に、温度検出装置９が調理容器４０の移動の邪魔になることがない。しかも、温度検出装置９の上昇状態においては、調理容器４０が五徳５１上に載置されたときに移動側支持筒１２の下降が許容されるとともに、五徳５１上に調理容器４０が載置されたときに当接体１３が調理容器４０の下面の上下位置に追随して上下することができるため、温度検出装置９によって調理容器４０の温度を確実に検出することができる。
【００４４】
また、上述のように構成した場合、ボビン１７と移動側支持筒１２とをワイヤー１９によって接続するだけで、複雑な部品などを必要とすることなく、容易に切換手段１５を構成することが可能で、コストの増大を抑制することができる。
【００４５】
また、この実施形態のガスコンロＡにおいては、ワイヤー１９にたるみが生じないようにするために必要な張力を付与する張力付与手段４１を備えているので、温度検出装置９の上昇状態において、調理容器４０が五徳５１上に載置されたときに、温度検出装置９とボビン１７との間に位置するワイヤー１９のたるみが生じることを抑制して、温度検出装置９の動作の信頼性を向上させることが可能になる。
【００４６】
さらに具体的には、ガスコンロＡの制御手段が備えるマイクロコンピュータが、メインルーチンにおいて、所定の周期（例えば０．０５秒に１回）で繰り返し温度検出装置９の昇降に関する制御サブルーチンを実行するように構成されている。
【００４７】
以下に、温度検出装置９の昇降制御サブルーチン（温度検出装置昇降制御サブルーチン）について、図５を参照して詳細に説明する。
【００４８】
図５に示すように、制御手段は、温度検出装置昇降制御サブルーチンを実行すると、先ず、＃００１で点火操作があったかどうか判定する。
【００４９】
点火操作があったとき（＃００１）は、ステッピングモータ（モータ）をワイヤーの繰り出し方向に回転させ（＃００２）、所定のパルス数だけ駆動させて（＃００３）、ステッピングモータ（モータ）を停止し（＃００４）、温度検出装置昇降制御サブルーチンを終了してメインルーチンにリターンする。
【００５０】
そして、＃００１で点火操作がないと判定した場合は、＃００５に進み、消火操作があったかどうか判定する。
【００５１】
消火操作があったときは、ステッピングモータをワイヤーの巻き取り方向に回転させ（＃００６）、所定のパルス数だけ駆動させて（＃００７）、ステッピングモータ（モータ）を停止し（＃００８）、温度検出装置昇降制御サブルーチンを終了してメインルーチンにリターンする。
【００５２】
以上のように、本実施例のガスコンロＡでは、制御手段が、ガスバーナによる加熱を停止するときに温度検出装置の下降状態となるようにステッピングモータを制御し、また、ガスバーナによる加熱を行うときに温度検出装置の上昇状態となるようにステッピングモータを制御する。
【００５３】
したがって、ガスバーナによる加熱が停止したときに温度検出装置が邪魔にならず、ガスバーナによる加熱を行うときには、温度検出装置によって調理容器の温度を適切に検出することが可能になる。
【００５４】
なお、この実施形態では、巻き取り・繰り出し部２０を、ステッピングモータ１６とボビン１７により構成したが、巻き取り・繰り出し部２０は、これに限られるものではなく、ステッピングモータ以外の駆動手段（例えばギヤモータなど）とボビンによって構成することも可能である。
【００５５】
また、この実施形態では、ドロップインコンロを例にとって説明したが、本発明はテーブルコンロにも適用することが可能である。
【００５６】
本発明は、さらにその他の点においても、上記実施形態に限定されるものではなく、本発明の範囲内において種々の変形を加えることが可能である。
【符号の説明】
【００５７】
１ａ        標準バーナ
１ｂ        高火力バーナ
１ｃ        小バーナ
４          グリル部
９          温度検出装置（温度センサ）
１１        固定側支持部材（固定部材）
１２        移動側支持筒（可動筒）
１３        当接体
１４        サーミスタ
１５        切換手段
１６        ステッピングモータ
１７        ボビン
１８        コイルスプリング（付勢手段）
１９        ワイヤー
１９ａ      ワイヤーの一端
１９ｂ      ワイヤーの他端
２０        巻き取り・繰り出し部
２１（２１ａ，２１ｂ，２１ｃ）    加熱状態調節部
２２        グリルバーナ操作部
２４        電源スイッチ
２５        電源ランプ
３２        標準バーナ用の付加機能操作・表示部
３３        グリル用の付加機能操作・表示部
３４        手動操作部
４０        調理容器
４１        張力付与手段
４５        サーミスタ用リード線
５１        五徳
Ａ          ガスコンロ
【図１】
2017009126.tif 000003
【図２】
2017009126.tif 000004
【図３】
2017009126.tif 000005
【図４】
2017009126.tif 000006
【図５】
2017009126.tif 000007